(57)【特許請求の範囲】
【請求項１】
内部に導入される測定圧力により弾性歪みを生じるブルドン管と、
前記ブルドン管の先端の近傍に配されてなる第一の軸に回動可能に取り付けられ、一方の端に前記第一の軸から遠ざかる方向に延びるスリット状のカム穴を有し、他方の端に前記第一の軸を中心とする扇形部を有する回動片と、
一方の端に前記ブルドン管の先端に設けられた接続部に回動可能に接続される第一の接続手段と、他方の端に前記カム穴内に摺動可能に接続される第二の接続手段を有するロッドと、
前記回動片の前記扇形部の外周に対向する側に配される第二の軸を有する指針と、
前記回動片の前記扇形部の外周面側に設けられた第一の永久磁石と、前記第二の軸に設けられた第二の永久磁石と、を有し、
前記第一の永久磁石の外周面および前記第二の永久磁石の外周面は、Ｎ極とＳ極が交互に等ピッチに着磁され、
前記第一の永久磁石の外周面と前記第二の永久磁石の外周面は、前記第一の軸の中心と前記第二の軸の中心とを結ぶ直線上で所定の間隔をへだてて対向しており、
前記ブルドン管の弾性歪による前記ブルドン管の先端の変位を、前記ロッドと前記第一の永久磁石と前記第二の磁石によって、前記指針の回転に変換する機構を有するブルドン管圧力計において、
前記第二の永久磁石が前記第一の永久磁石に吸引される力を緩和する磁気部材を、前記第二の永久磁石の、前記第一の永久磁石が配された側の反対側に設けたことを特徴とするブルドン管圧力計。
【請求項２】
内部に導入される測定圧力により弾性歪みを生じるブルドン管と、
前記ブルドン管の先端の近傍に配されてなる第一の軸に回動可能に取り付けられ、一方の端に前記第一の軸から遠ざかる方向に延びるスリット状のカム穴を有し、他方の端に前記第一の軸を中心とする扇形部を有する回動片と、
一方の端に前記ブルドン管の先端に設けられた接続部に回動可能に接続される第一の接続手段と、他方の端に前記カム穴内に摺動可能に接続される第二の接続手段を有するロッドと、
前記回動片の前記扇形部の外周に対向する側に配される第二の軸を有する指針と、
前記回動片の前記扇形部の外周面側に設けられた第一の永久磁石と、前記第二の軸に設けられた第二の永久磁石と、を有し、
前記第一の永久磁石の外周面および前記第二の永久磁石の外周面は、Ｎ極とＳ極が交互に等ピッチに着磁され、
前記第一の永久磁石の外周面と前記第二の永久磁石の外周面は、前記第一の軸の中心と前記第二の軸の中心とを結ぶ直線上で所定の間隔をへだてて対向しており、
前記ブルドン管の弾性歪による前記ブルドン管の先端の変位を、前記ロッドと前記第一の永久磁石と前記第二の磁石によって、前記指針の回転に変換する機構を有するブルドン管圧力計において、
前記回動片の前記扇形部の外周と、前記指針の前記第二の軸の外周の各々に、圧力変化による前記ブルドン管の急激な変位が生じたときにのみ、歯が接触するギヤを形成したことを特徴とするブルドン管圧力計。
【請求項３】
内部に導入される測定圧力により弾性歪みを生じるブルドン管と、
前記ブルドン管の先端の近傍に配されてなる第一の軸に回動可能に取り付けられ、一方の端に前記第一の軸から遠ざかる方向に延びるスリット状のカム穴を有し、他方の端に前記第一の軸を中心とする扇形部を有する回動片と、
一方の端に前記ブルドン管の先端に設けられた接続部に回動可能に接続される第一の接続手段と、他方の端に前記カム穴内に摺動可能に接続される第二の接続手段を有するロッドと、
前記回動片の前記扇形部の外周に対向する側に配される第二の軸を有する指針と、
前記回動片の前記扇形部の外周面側に設けられた第一の磁性体と、前記第二の軸に設けられた第二の磁性体と、を有し、
前記第一の磁性体の外周面と前記第二の磁性体の外周面は、前記第一の軸の中心と前記第二の軸の中心とを結ぶ直線上で所定の間隔をへだてて対向しており、
前記ブルドン管の弾性歪による前記ブルドン管の先端の変位を、前記ロッドと前記第一の磁性体と前記第二の磁性体によって、前記指針の回転に変換する機構を有するブルドン管圧力計において、
前記第一の磁性体または前記第二の磁性体のいずれか一方は、外周面がＮ極とＳ極が交互に等ピッチに着磁された永久磁石であり、他方は外周面が前記着磁のピッチと略同ピッチで凹凸形状が形成された軟磁性体であることを特徴とするブルドン管圧力計。
【発明の詳細な説明】
【技術分野】
【０００１】
本発明は、気体の圧力を検出する圧力計、特にブルドン管圧力計に関するものである。
【背景技術】
【０００２】
様々な気体の圧力を測定するために、ブルドン管圧力計が広汎に使用されている。これは、断面が扁平で全体の形状をＣ型，スパイラル型，ヘリカル型などに構成した金属パイプが、内部の圧力変化によって曲率が変化することを応用したもので、構造が比較的簡便なのが特徴で、〜２５０ＭＰａ程度の測定範囲のものが市販されている。
【０００３】
ブルドン管圧力計は、圧力の変化に起因するブルドン管の先端の変位を回動片に伝達し、回動片に設けられたギヤと、指針の軸の外周に設けられたギヤによって、指針を回動させる機構を有するものが一般的である。
【０００４】
このような機構のブルドン管圧力計では、ギヤによって指針を作動させているので、ギヤの噛み合い部分のガタにより指針が振れ、圧力の表示が不安定になるという問題がある。さらに、急激な圧力の変動があるとギヤの擦れ合いが激しくなり摩耗が顕著になる、という問題がある。
【０００５】
このような問題に対処するために、指針の回転軸にゼンマイバネを取り付け、一回転方向に付勢する技術が、特許文献１及び特許文献２に開示されている。しかし、これらのブルドン管圧力計においては、ブルドン管の変位の伝達がギヤによって行われるため、摩耗という観点においては、なお改善の余地がある。
【０００６】
この対策として、本出願人は、前記の変位の伝達を磁力で行えるように構成した技術を特許文献３に開示している。図８は特許文献３に開示されているブルドン管圧力計を示す図である。同図において、ブルドン管１２はその断面形状が略楕円形の管であって、この管を弧を描くように曲げ、その先端を閉じたものである。
【０００７】
回動片１３は、その略中央が回動片軸２０に圧入され、一方側がロッド１４を介してブルドン管１２の先端に連結されている。また、回動片１３の他方側は、回動片軸２０を中心とした円弧状の縁を有する扇形部１３ｃとなっており、扇形部１３ｃの外周面側に、複数のＮ極とＳ極が円周上に円周方向に交互に配置された円弧状の永久磁石２１が止着されている。回動片軸２０は図示しないベースプレートに回動自在に軸支されている。
【０００８】
指針１７は指針軸１８に圧入保持されており、指針軸１８は図示しないベースプレートによって回動自在に軸支されている。
この指針軸１８には、回動片１３の永久磁石２１と対向するように円周方向に複数のＮ極とＳ極が交互に配置された円筒状の永久磁石１９が止着されており、この２つの永久磁石１９，２１のそれぞれの側面に交互に配置されたＮ極とＳ極の磁気結合により、永久磁石２１の回転が永久磁石１９に伝達される。
【０００９】
ここで、矢印Ａで示す様にブルドン管１２に圧力Ｐを加えると、このブルドン管１２が弾性変形し、その先端が図８における上方に変位する。これに伴い、回動片１３の右側の部分がロッド１４を介して上方に変位し、この回動片１３に止着された円弧状の永久磁石２１が回動し、この永久磁石２１の動きに応じて指針軸１８に止着された永久磁石１９が同期して回動することで、指針軸１８に保持された指針１７により圧力Ｐが指し示される。
【００１０】
しかしながら、上述した従来の圧力計では、回動片１３及び指針軸１８に各々止着された永久磁石１９，２１間の吸引力により指針軸１８が回動片軸２０に近づく方向に吸引され、指針軸１８と指針軸１８を支持している部材との摩擦力が大きくなり、その摩擦力が負荷となり指針１７の指示精度が安定しないという問題があった。
【００１１】
また、ブルドン管１２に瞬時に急激な圧力変化が加わるとブルドン管１２は急激に大きく弾性変形し、それにより回動片１３が鋭く変位し、回動片１３及び指針軸１８各々に止着された永久磁石１９，２１間の正規の位置での磁気結合（同期）が解消され、指針軸１８に止着された永久磁石１９が回動方向にずれることで非正規の位置で磁気結合（脱調）してしまい、指針１７が正確な圧力Ｐを指示ができなくなる、という問題があった。
【先行技術文献】
【特許文献】
【００１２】
【特許文献１】特開平０８−０９４４６５号公報
【特許文献２】特開平０９−３０４２０４号公報
【特許文献３】特開２０１４−２１９３０４号公報
【発明の概要】
【発明が解決しようとする課題】
【００１３】
本発明は上記の問題点に鑑みてなされたものであり、指針軸と指針軸を支持している部材との摩擦力を低減させて指針の指示精度を高め、且つ、急激な圧力変化が発生する使用環境下においても、脱調を回避し、正確な圧力を指示できるブルドン管圧力計を提供することを目的とする。
【課題を解決するための手段】
【００１４】
本発明における請求項１に係る発明は、
内部に導入される測定圧力により弾性歪みを生じるブルドン管と、
前記ブルドン管の先端の近傍に配されてなる第一の軸に回動可能に取り付けられ、一方の端に前記第一の軸から遠ざかる方向に延びるスリット状のカム穴を有し、他方の端に前記第一の軸を中心とする扇形部を有する回動片と、
一方の端に前記ブルドン管の先端に設けられた接続部に回動可能に接続される第一の接続手段と、他方の端に前記カム穴内に摺動可能に接続される第二の接続手段を有するロッドと、
前記回動片の前記扇形部の外周に対向する側に配される第二の軸を有する指針と、
前記回動片の前記扇形部の外周面側に設けられた第一の永久磁石と、前記第二の軸に設けられた第二の永久磁石と、を有し、
前記第一の永久磁石の外周面および前記第二の永久磁石の外周面は、Ｎ極とＳ極が交互に等ピッチに着磁され、
前記第一の永久磁石の外周面と前記第二の永久磁石の外周面は、前記第一の軸の中心と前記第二の軸の中心とを結ぶ直線上で所定の間隔をへだてて対向しており、
前記ブルドン管の弾性歪による前記ブルドン管の先端の変位を、前記ロッドと前記第一の永久磁石と前記第二の磁石によって、前記指針の回転に変換する機構を有するブルドン管圧力計において、
前記第二の永久磁石が前記第一の永久磁石に吸引される力を緩和する磁気部材を、前記第二の永久磁石の、前記第一の永久磁石が配された側の反対側に設けたことを特徴とするブルドン管圧力計である。
【００１５】
また、本発明における請求項２に係る発明は、
内部に導入される測定圧力により弾性歪みを生じるブルドン管と、
前記ブルドン管の先端の近傍に配されてなる第一の軸に回動可能に取り付けられ、一方の端に前記第一の軸から遠ざかる方向に延びるスリット状のカム穴を有し、他方の端に前記第一の軸を中心とする扇形部を有する回動片と、
一方の端に前記ブルドン管の先端に設けられた接続部に回動可能に接続される第一の接続手段と、他方の端に前記カム穴内に摺動可能に接続される第二の接続手段を有するロッドと、
前記回動片の前記扇形部の外周に対向する側に配される第二の軸を有する指針と、
前記回動片の前記扇形部の外周面側に設けられた第一の永久磁石と、前記第二の軸に設けられた第二の永久磁石と、を有し、
前記第一の永久磁石の外周面および前記第二の永久磁石の外周面は、Ｎ極とＳ極が交互に等ピッチに着磁され、
前記第一の永久磁石の外周面と前記第二の永久磁石の外周面は、前記第一の軸の中心と前記第二の軸の中心とを結ぶ直線上で所定の間隔をへだてて対向しており、
前記ブルドン管の弾性歪による前記ブルドン管の先端の変位を、前記ロッドと前記第一の永久磁石と前記第二の磁石によって、前記指針の回転に変換する機構を有するブルドン管圧力計において、
前記回動片の前記扇形部の外周と、前記指針の前記第二の軸の外周の各々に、圧力変化による前記ブルドン管の急激な変位が生じたときにのみ、歯が接触するギヤを形成したことを特徴とするブルドン管圧力計である。
【００１６】
また、本発明における請求項３に係る発明は、
内部に導入される測定圧力により弾性歪みを生じるブルドン管と、
前記ブルドン管の先端の近傍に配されてなる第一の軸に回動可能に取り付けられ、一方の端に前記第一の軸から遠ざかる方向に延びるスリット状のカム穴を有し、他方の端に前記第一の軸を中心とする扇形部を有する回動片と、
一方の端に前記ブルドン管の先端に設けられた接続部に回動可能に接続される第一の接続手段と、他方の端に前記カム穴内に摺動可能に接続される第二の接続手段を有するロッドと、
前記回動片の前記扇形部の外周に対向する側に配される第二の軸を有する指針と、
前記回動片の前記扇形部の外周面側に設けられた第一の磁性体と、前記第二の軸に設けられた第二の磁性体と、を有し、
前記第一の磁性体の外周面と前記第二の磁性体の外周面は、前記第一の軸の中心と前記第二の軸の中心とを結ぶ直線上で所定の間隔をへだてて対向しており、
前記ブルドン管の弾性歪による前記ブルドン管の先端の変位を、前記ロッドと前記第一の磁性体と前記第二の磁性体によって、前記指針の回転に変換する機構を有するブルドン管圧力計において、
前記第一の磁性体または前記第二の磁性体のいずれか一方は、外周面がＮ極とＳ極が交互に等ピッチに着磁された永久磁石であり、他方は外周面が前記着磁のピッチと略同ピッチで凹凸形状が形成された軟磁性体であることを特徴とするブルドン管圧力計である。
【発明の効果】
【００１７】
本発明のブルドン管圧力計においては、第二の永久磁石が第一の永久磁石に吸引される力を低減できるので、指針の負荷になる指針軸と指針軸を支持している部材との摩擦力を低減することができ、指針の安定した指示精度を得ることができる。
【００１８】
また、ブルドン管に加わる圧力が急変し、ブルドン管にロッドを介して保持された回動片が鋭く変位し第一の磁石と第二の磁石の同期が解消されそうになった場合に、回動片および指針の第二の軸にそれぞれ形成されたギヤの歯が接触することで、第一の磁石と第二の磁石の磁気結合が正規の位置に戻され同期が回復されるので、急激な圧力変化が発生する使用環境下においても正確な指示が可能となる。
【図面の簡単な説明】
【００１９】
【図１】本発明に係るブルドン管圧力計の第１の実施例の正面図である。
【図２】第１の実施例の圧力表示変換機構１の拡大斜視図である。
【図３】本発明の第２の実施例の圧力表示変換機構１の正面図である。
【図４】第２の実施例の圧力表示変換機構１の拡大斜視図である。
【図５】第２の実施例の動作を説明する正面図である。
【図６】第２の実施例の動作を説明する正面図である。
【図７】第２の実施例の変形例の圧力表示変換機構１の拡大斜視図である。
【図８】従来の圧力計を概略的に示す正面図である。
【発明を実施するための形態】
【００２０】
以下、本発明の圧力計の実施の形態を、図面を参照して説明する。
【００２１】
図１〜図２に、本発明に係る圧力計の第１の実施例を示す。図１は本発明の第１の実施例の正面図、図２は後述する圧力表示変換機構１の拡大斜視図である。
【００２２】
図１において、ブルドン管１２の基端部は圧力導入管１１に固定され、この圧力導入管１１からブルドン管１２内に測定圧力が導入される。測定圧が変化するとブルドン管１２は弾性歪みを生じ、ブルドン管１２の他端部が変位する。ブルドン管１２の他端部にはロッド１４の第一の接続手段であるピン１５が接続されており、ロッド１４の第二の接続手段であるピン１６が回動片１３のカム穴１３ｂに回転可能に接続されており、ブルドン管１２の他端部の変位を圧力表示変換機構１の回動片１３に伝達する。回動片１３に伝達されたブルドン管１２の他端部の変位は、圧力表示変換機構１により指針１７の回転に変換される。
【００２３】
次に圧力表示変換機構１の構成について図２を参照して説明する。
圧力表示変換機構１は
ロッド１４の先端部に設けられたピン１６（図１参照）に係合するカム穴１３ｂを有する回動片１３と、
回動片１３を保持する第一の軸である回動片軸２０と、
回動片１３に設けられた回動片軸２０を中心とする扇形部１３ｃの外周面側に止着された第一の永久磁石である円弧形の永久磁石２１と、
永久磁石２１に対向する態様で、図示せぬベースプレートの軸受に回転自在に保持された第二の軸である指針軸１８と、
指針軸１８に接着等で止着されている第二の永久磁石である円筒形の永久磁石１９と、
永久磁石１９の近傍の、永久磁石２１が配された側の反対側に、図示せぬベースプレートに圧入等で固持された、磁気部材である略角形状の磁性体２２と、を備えてなる。
永久磁石１９及び永久磁石２１は、それぞれの外周が円周方向に複数のＮ極とＳ極が交互且つ等ピッチで着磁されており、永久磁石１９と永久磁石２１は隙間を維持した態様で配置されている。
【００２４】
次に、この圧力表示変換機構１の動作原理について図１および図２を参照して説明する。
圧力導入管１１からブルドン管１２内に導かれる測定圧力が変化すると、ブルドン管１２の曲率が変化し、ブルドン管１２の先端部が変位し、ロッド１４を介して接続された、圧力表示変換機構１の構成部品である回動片１３が回動片軸２０を中心にして回動させられ、回動片１３に止着された永久磁石２１も回動させられる。
永久磁石２１が回動すると、永久磁石１９と永久磁石２１のそれぞれの外周面に交互に着磁された複数のＮ極とＳ極の磁気結合により、永久磁石１９が回動せられる。永久磁石１９は指針軸１８に止着されているので、指針軸１８が回動し、指針軸１８に圧入して保持された指針１７が測定圧力に対応する目盛表示部を指し示す。
【００２５】
ところで、永久磁石１９と永久磁石２１のそれぞれの外周面は複数のＮ極とＳ極が交互に等ピッチで着磁されており、たとえば永久磁石２１のあるＮ極と、このＮ極に対向する永久磁石１９のＳ極が磁気結合を維持したまま回動することにより、永久磁石１９と永久磁石２１の同期が保たれているが、同時に、永久磁石２１のあるＮ極と、このＮ極に対向する永久磁石１９のＳ極は互いに吸引し、指針軸１８は回動片軸２０に近づく方向に付勢される。指針軸１８が回動片軸２０に近づく方向に吸引されると、指針軸１８と指針軸１８を支持している部材との摩擦力が大きくなり、その摩擦力が負荷となり指針１７の指示精度が不安定となり、好ましくない。
【００２６】
しかし、本発明に係る圧力計の第１の実施例では、指針軸１８に止着された永久磁石１９の近傍の、永久磁石２１が配された側の反対側に、略角状の磁性体２２を設けた。この磁性体２２と永久磁石１９は互いに吸引するので、指針軸１８は磁性体２２に近づく方向に付勢される。
回動片軸２０と磁性体２２は、指針軸１８を中心として対向する位置にあるので、指針軸１８に止着された永久磁石１９と回動片１３に止着された永久磁石２１間での磁力による吸引力は、指針軸１８に止着された永久磁石１９と磁性体２２との間に生じる吸引力で相殺され低減する。これにより、指針軸１８と指針軸１８を支持している部材との摩擦力が緩和され、指針１７の指示精度が安定する。
【００２７】
次に、本発明に係るブルドン管圧力計の第２の実施例を図３〜図６を参照して説明する。図３は第２の実施例の圧力表示変換機構１の正面図、図４は圧力表示変換機構１の拡大斜視図、図５および図６は第２の実施例の動作を説明する正面図である。
【００２８】
この第２の実施例では、図３および図４に示すように、回動片１３の扇形部１３ｃの外周にギヤ１３ａが形成されており、このギヤ１３ａと噛みあうように指針軸１８にもギヤ１８ａが形成してある。その他の構成は第１の実施例と同様である。
【００２９】
指針軸１８に形成されたギヤ１８ａの歯は、図３に示すように、指針軸１８に止着された円筒状の永久磁石１９の磁極の略境界部に等ピッチで配置されている。また回動片１３に形成されたギヤ１３ａの歯は回動片１３に止着された円弧状の永久磁石２１の磁極幅の略中央部に等ピッチで配置されている。
ギヤ１８ａおよびギヤ１３ａの歯は一般的なギヤの歯より細く作られており、永久磁石１９と永久磁石２１が同期して正規の位置で磁気結合している場合は、ギヤ１８ａの歯はギヤ１３ａの谷に入り、ギヤ１３ａの歯はギヤ１８ａの谷に入るので、ギヤ１８ａの歯とギヤ１３ａの歯は接触しない。
また、回動片１３が図３の位置から回動し、例えば図５に示すように永久磁石２１のＮ極とＳ極の着磁ピッチの１／２ピッチの位置まで回転した場合でも、永久磁石１９と永久磁石２１が同期して正規の位置で磁気結合しているので、ギヤ１３ａの回動とともにギヤ１８ａも回動し、ギヤ１８ａの歯とギヤ１３ａの歯は接触しない。
【００３０】
以上により、永久磁石１９と永久磁石２１が同期している場合、すなわちブルドン管１２に加わる圧力変化が小さい通常の使用環境下においては、ギヤ１８ａの歯とギヤ１３ａの歯は接触しない。
【００３１】
これに対し、ブルドン管１２に急激な圧力変化が加わり回動片１３が鋭く変位した場合は、永久磁石１９と永久磁石２１間の正規の位置での磁気結合（同期）が解消され、指針軸１８に止着された永久磁石１９が回動方向にずれることで非正規の位置で磁気結合（脱調）してしまう恐れがある。しかし、本発明の第２の実施例では、図６に示すように、脱調しそうになった時にはギヤ１３ａの歯とギヤ１８ａの歯が噛みあうので、ギヤ１８ａはギヤ１３ａにより回動させられ、これにより永久磁石１９と永久磁石２１は正規の位置に戻される。これにより永久磁石１９と永久磁石２１間の同期が保持され、永久磁石１９が止着された指針軸１８に保持された指針１７は正確な指示ができる。
【００３２】
以上により、本発明の第２の実施例に係るブルドン管圧力計では、通常時は回動片１３及び指針軸１８各々に備えられた永久磁石１９，２１間の磁力によって回動片１３の変位を指針軸１８へ伝達し、圧力急変時のみ回動片１３及び指針軸１８に形成されたギヤ１３ａ，１８ａによる機械的接触で動作するため、種々の使用環境下においても正確な指示が可能であり、また摩耗による部品の損傷が抑制され高寿命の特徴が維持される。
【００３３】
なお、上記の本発明の第２の実施例の説明では、ギヤ１８ａの歯は永久磁石１９の磁極の略境界部に配置され、ギヤ１３ａの歯は永久磁石２１の磁極幅の略中央部に配置されている、としたが、ギヤ１８ａの歯を永久磁石１９の磁極幅の略中央部に配置し、ギヤ１３ａの歯を永久磁石２１の磁極の略境界部に配置しても、第２の実施例と同様の効果を奏する。
【００３４】
次に、本発明の第２の実施例に係るブルドン管圧力計の変形例を、図７を参照して説明する。図７は本変形例の圧力表示変換機構１の拡大斜視図である。
本変形例では、圧力表示変換機構１は回動片１３と、回動片１３を保持する回動片軸２０と、回動片１３の扇形部の外周面側に止着された円弧形の磁性体３１と、図示せぬベースプレートの軸受に回転自在に保持された指針軸１８と、指針軸１８に接着等で止着されている円筒形の永久磁石１９と、図示せぬベースプレートに圧入等で固持された略角形状の磁性体２２と、回動片１３の扇形部１３ｃの外周に形成されたギヤ１３ａと、指針軸１８に形成されたギヤ１８ａと、を備えてなる。
【００３５】
磁性体３１の外周面には、永久磁石１９の外周面に着磁された複数のＮ極とＳ極のピッチと略同一のピッチで、回動片軸２０の軸方向に長い、外方に突出する複数の凸形状が設けられている。
磁性体３１の凸形状部では永久磁石１９の外周面との間隔が狭いため、磁力線の性質により、永久磁石１９の外周面に着磁されたＮ極またはＳ極の磁極幅の中央と磁性体３１の凸形状部が対向する位置で磁気結合し、磁性体３１の回動が永久磁石１９に伝達される。これにより指針軸１８が回動し、指針軸１８に圧入して保持された指針１７が測定圧力に対応する目盛を指し示す。
【００３６】
以上により、本変形例では永久磁石の使用数を１つとしながら、本発明の第２の実施例と同様な効果が得られる。
【００３７】
なお、上記では回動片１３に止着された第一の永久磁石を、複数の凸形状を有する磁性体に変更する場合を説明したが、第一の永久磁石は永久磁石のままとし、指針軸１８に止着された第二の永久磁石を、複数の凸形状を有する磁性体に変更しても同等の効果が得られる。ただし、この場合は磁気材料である磁性体２２を永久磁石に変更することが求められる。
【００３８】
また、上記では本発明の第２の実施例からの変形例を記載したが、第１の実施例からの変形でも、同様な効果が得られる。
【産業上の利用可能性】
【００３９】
本発明は、種々の圧力表示変換機構機械を用いたブルドン管圧力計に利用できる。なお、本発明は、前記実施の形態に記載された事項に限定されるものではなく、本発明の分野における通常の知識を有する者であれば想到し得る各種変形，修正を含む、本発明の要旨を逸脱しない範囲の設計変更があっても、本発明に含まれることは勿論である。
【符号の説明】
【００４０】
１      圧力表示変換機構
１１    圧力導入管
１２    ブルドン管
１３    回動片
１３ａ   ギヤ
１３ｂ   カム穴
１３ｃ   扇形部
１４    ロッド
１５    ピン（第一の接続手段）
１６    ピン（第二の接続手段）
１７    指針
１８    指針軸（第二の軸）
１８ａ   ギヤ
１９    永久磁石（第二の永久磁石）
２０    回動片軸（第一の軸）
２１    永久磁石（第一の永久磁石）
２２    磁性体（磁気部材）
３１    磁性体
【要約】
【課題】指針軸１８と指針軸支持部材との摩擦力を低減して指針１７の指示精度を安定させ、また、急激な圧力変化が加わった場合でも、回動片１３と指針軸１８が脱調せず指針１７が正確な圧力Ｐを指示ができるブルドン管圧力計を提供する。
【解決手段】永久磁石１９が永久磁石２１に吸引される力を低減させる磁性体２２を、永久磁石１９の、永久磁石２１が配された側の反対側に設けた。これにより指針軸１８と指針軸を支持している部材との摩擦力を低減することができるため、指針１７の安定した指示精度を得ることができる。
また、回動片１３と指針軸１８の各々の外周に、ブルドン管の急激な変位が生じたときにのみ歯が接触するギヤ１３ａ，１８ａを形成したので、急激な圧力変化が加わった場合でもギヤ１３ａ，１８ａの歯が接触することで脱調を回避でき、正確な指示が可能となる。
【選択図】図４【図１】
0005947950.tif 000002
【図２】
0005947950.tif 000003
【図３】
0005947950.tif 000004
【図４】
0005947950.tif 000005
【図５】
0005947950.tif 000006
【図６】
0005947950.tif 000007
【図７】
0005947950.tif 000008
【図８】
0005947950.tif 000009